(57)【特許請求の範囲】
【請求項１】
洗浄槽と、この洗浄槽の底部略中央に配設し水平方向に回転しながら洗浄水を噴射する洗浄ノズルと、この洗浄ノズルから略上方へ噴射される洗浄水の反力によって前記洗浄ノズルと軸方向に当接して導水管部を形成するノズル支持部と、前記洗浄ノズルに洗浄水を圧送する洗浄ポンプと、この洗浄ポンプを駆動する制御手段とを備え、前記制御手段は、前記洗浄ポンプの起動により前記洗浄ノズル内を洗浄水でほぼ充満させた後に前記洗浄ポンプの短時間の停止を行うことで、前記洗浄ノズルを前記ノズル支持部に軸方向で当接させて前記導水管部を形成し、その後前記洗浄ポンプを再び起動させることにより洗浄水を前記導水管部を通じて前記洗浄ノズルから噴射するように構成した食器洗い機。
【発明の詳細な説明】
【０００１】
【発明の属する技術分野】
本発明は、洗浄ノズルより食器に向けて洗浄水を噴射して食器を洗浄する食器洗い機に関する。
【０００２】
【従来の技術】
近年、洗浄槽内で回転するノズルから噴射される洗浄水によって食器かごに収納された食器を洗浄する食器洗い機が主流となっている。
【０００３】
従来、この種の食器洗い機は図３に示すように構成していた。以下、その構成について説明する。
【０００４】
図３に示すように、洗浄槽１は、前方に開口部を有し、この開口部を扉２により開閉するとともに、内部に洗浄水を噴射する洗浄ノズル３を回転自在に設けており、洗浄槽１内に食器４を収納する食器かご５を配置している。洗浄ノズル３は、図４（ａ）に示すように、その中心軸の下側に流入口６を有し、ノズル支持部７の流出口８と当接する位置にあり、洗浄ノズル３の上面には複数の噴射口９を設けている。運転は制御手段１０によって制御され、自動的に進行する。
【０００５】
洗浄槽１内の洗浄水はヒータ１１によって温水化され、洗浄ポンプ１２にて排水口１３に備えた残さいフィルター１４から吸い込まれ、洗浄ノズル３に圧送され、噴射口９から噴射される。
【０００６】
このとき、噴射口９から噴射される洗浄水の反力によって洗浄ノズル３は下方へ押しつけられ、流入口６と流出口８が当接して導水管部１５を形成し、回転する洗浄ノズル３の噴射口９より勢いよく噴射される洗浄水によって、かご５に収納された食器４を洗浄するように構成している。
【０００７】
【発明が解決しようとする課題】
このような従来の食器洗い機においては、運転停止時には、洗浄ノズル３はその自重によって最も下方に位置し、流入口６と流出口８が当接している。この状態から洗浄ポンプ１２が起動し、流入口６を通って洗浄ノズル３内へ洗浄水が突入するとき、洗浄ノズル３は水撃によって浮上する。
【０００８】
このとき、噴射口９から噴射される洗浄水による下方向への反力Ｆが不十分であると、図４（ｂ）に示すように、洗浄ノズル３が沈降しない状態で回転してしまい、流入口６と流出口８との隙間から洗浄水の漏れが発生するため洗浄水の水圧を十分に得ることができず、洗浄性能が悪くなる場合がある。
【０００９】
本発明は上記課題を解決するもので、洗浄ノズルとノズル支持部とを確実に当接させて洗浄水の漏れを防ぎ、洗浄水の水圧を十分に得ることにより、より安定した洗浄性能を得ることを目的としている。
【００１０】
【課題を解決するための手段】
本発明は上記目的を達成するために、洗浄槽の底部略中央に水平方向に回転しながら洗浄水を噴射する洗浄ノズルを配設し、洗浄ポンプより圧送され洗浄ノズルから略上方へ噴射される洗浄水の反力によって、洗浄ノズルとノズル支持部を軸方向に当接して導水管部を形成するよう構成し、洗浄ポンプを駆動する制御手段は、洗浄ポンプの起動により洗浄ノズル内を洗浄水でほぼ充満させた後に洗浄ポンプの短時間の停止を行うことで、洗浄ノズルをノズル支持部に軸方向で当接させて導水管部を形成し、その後洗浄ポンプを再び起動させることにより洗浄水を導水管部を通じて洗浄ノズルから噴射するように構成したものである。
【００１１】
これにより、洗浄ノズルとノズル支持部とを確実に当接させて洗浄水の漏れを防ぐことができ、洗浄水の水圧を十分に得ることにより、より安定した洗浄性能を得ることができる。
【００１２】
【発明の実施の形態】
本発明の請求項１に記載の発明は、洗浄槽と、この洗浄槽の底部略中央に配設し水平方向に回転しながら洗浄水を噴射する洗浄ノズルと、この洗浄ノズルから略上方へ噴射される洗浄水の反力によって前記洗浄ノズルと軸方向に当接して導水管部を形成するノズル支持部と、前記洗浄ノズルに洗浄水を圧送する洗浄ポンプと、この洗浄ポンプを駆動する制御手段とを備え、前記制御手段は、前記洗浄ポンプの起動により前記洗浄ノズル内を洗浄水でほぼ充満させた後に前記洗浄ポンプの短時間の停止を行うことで、前記洗浄ノズルを前記ノズル支持部に軸方向で当接させて前記導水管部を形成し、その後前記洗浄ポンプを再び起動させることにより洗浄水を前記導水管部を通じて前記洗浄ノズルから噴射するように構成したものであり、洗浄ポンプの起動後に洗浄ノズル内が洗浄水で充満した状態で短時間の停止を行うことにより、洗浄ノズルと洗浄水の重量により洗浄ノズルが沈降し、流入口と流出口が確実に当接した状態で洗浄ノズルが回転し、洗浄水を噴射するため、洗浄水の漏れを防ぐことができ、洗浄水の水圧を十分に得ることにより、より安定した洗浄性能を得ることができる。
【００１３】
【実施例】
以下、本発明の一実施例について、図面を参照しながら説明する。なお、従来例と同じ構成のものは同一符号を付して説明を省略する。
【００１４】
図１に示すように、制御手段１６は、洗浄ポンプ１２を駆動するとともに、運転を制御し、洗浄ポンプ１２の起動後に短時間の停止を行うように構成している。すなわち、制御手段１６により洗浄ポンプ１２を動作させる信号は、図２に示すように、時刻Ｔ０で洗浄ポンプ１２を起動し、最初にｔ１秒間オンした後、ｔ２秒間オフ状態となり、その後再びオン状態となる。この時間ｔ２秒は非常に短い時間であり、洗浄ノズル３の噴射口９からの洗浄水の噴射が止まってから、洗浄ノズル３の流入口６から下方へ洗浄水が抜け始めるまでの時間に設定している。
【００１５】
上記構成において作用を説明すると、洗浄ポンプ１２が起動するとき、洗浄ノズル３は洗浄水の水撃によって一度浮上して回転する。このとき、流入口６と流出口８との間には隙間があり、洗浄水が漏れている。次に、ｔ１秒後に停止したとき、噴射口９からの洗浄水の噴射は止み、次に洗浄水が洗浄ノズル３の流入口６から抜け始めるまでのｔ２秒間は洗浄ノズル３内は洗浄水ではぼ充満しており、洗浄ノズル３が最も重い状態となる。
【００１６】
このため、洗浄ノズル３はノズル支持部７内の最下方へ沈降し、流入口６と流出口８が確実に当接する。そして、再び洗浄ポンプ１２が起動するときには、洗浄ノズル３が最も重い状態であることと、洗浄ノズル３内が洗浄水で充たされていることによって、洗浄ノズル３内への水撃が緩和されることから、洗浄ノズル３は浮上せず、流入口６と流出口８が当接した状態で回転を始める。このため、洗浄水の漏れを防ぐことができ、洗浄水の水圧を十分に得ることにより、より安定した洗浄性能を得ることができる。
【００１７】
【発明の効果】
以上のように本発明の請求項１に記載の発明によれば、洗浄槽と、この洗浄槽の底部略中央に配設し水平方向に回転しながら洗浄水を噴射する洗浄ノズルと、この洗浄ノズルから略上方へ噴射される洗浄水の反力によって前記洗浄ノズルと軸方向に当接して導水管部を形成するノズル支持部と、前記洗浄ノズルに洗浄水を圧送する洗浄ポンプと、この洗浄ポンプを駆動する制御手段とを備え、前記制御手段は、前記洗浄ポンプの起動により前記洗浄ノズル内を洗浄水でほぼ充満させた後に前記洗浄ポンプの短時間の停止を行うことで、前記洗浄ノズルを前記ノズル支持部に軸方向で当接させて前記導水管部を形成し、その後前記洗浄ポンプを再び起動させることにより洗浄水を前記導水管部を通じて前記洗浄ノズルから噴射するように構成したから、洗浄ノズルとノズル支持部が確実に当接した状態で洗浄ノズルが回転し、洗浄水を噴射するため、洗浄水の漏れを防ぐことができ、洗浄水の水圧を十分に得ることにより、より安定した洗浄性能を得ることができる。
【図面の簡単な説明】
【図１】  本発明の一実施例の食器洗い機の縦断面図
【図２】  同食器洗い機の洗浄ポンプの動作タイムチャート
【図３】  従来の食器洗い機の縦断面図
【図４】  （ａ）同食器洗い機の正常動作時の要部断面図
（ｂ）同食器洗い機の異常動作時の要部断面図
【符号の説明】
１  洗浄槽
３  洗浄ノズル
７  ノズル支持部
１２  洗浄ポンプ
１５  導水管部
１６  制御手段
【図１】
0003861437.tif 000002
【図２】
0003861437.tif 000003
【図３】
0003861437.tif 000004
【図４】
0003861437.tif 000005